(57)【要約】      （修正有）【課題】引き戸、開き戸および中折れ戸等のいずれの形式の戸に対しても好適に装着可能で、操作性が良く、しかも取手を通して戸内部の明るさを確認できる戸用の取手装置を提供する。【解決手段】取手装置１０は、互いに組み合わされる一対の環状枠体１１，１２と、一対の環状枠体間に配置される透光性を有する仕切板１３とを含み、環状枠体は、それぞれ、環状のベース枠１６と、ベース枠１６から組み合わせ方向に突出し、その内側面において指掛部１８を備えている半環状突出壁１７とを有し、一対の環状枠体１１，１２が組み合わされると、半環状突出壁１７の先端縁同士が当接して、環状枠体同士は平行な状態となって戸に形成された取付用小窓内に収容可能であり、仕切板１３は、半環状突出壁１７の先端縁間に挟持され、ベース枠１６の拡がり方向に対して傾斜状態で保持される。【選択図】図１
0003204470.tif 000002
【実用新案登録請求の範囲】
【請求項１】
互いに組み合わされる一対の環状枠体と、
前記一対の環状枠体間に配置される透光性を有する仕切板とを含み、
前記環状枠体は、それぞれ、
環状のベース枠と、
前記ベース枠から組み合わせ方向に突出し、その内側面において指掛部を備えている半環状突出壁とを有し、
前記一対の環状枠体が組み合わされると、前記半環状突出壁の先端縁同士が当接して、前記環状枠体同士は平行な状態となって戸に形成された取付用小窓内に収容可能であり、
前記仕切板は、前記半環状突出壁の先端縁間に挟持され、前記ベース枠の拡がり方向に対して傾斜状態で保持されることを特徴とする、戸用の取手装置。
【請求項２】
前記環状枠体は、長方形状の環状枠体を含み、
前記半環状突出壁は、前記長方形状の一方長辺から突出する主突出壁と、２つの短辺から突出し、前記一方長辺側の突出量が大きく、他方長辺側の突出量が小さい斜めに突出する副突出壁とを含み、
前記指掛部は、前記主突出壁の内側面を利用して形成されていることを特徴とする、請求項１記載の戸用の取手装置。
【請求項３】
前記仕切板は、同一形状の仕切板を複数枚含み、複数枚の仕切板が重ね合わされて前記半環状突出壁の先端縁間に挟持されるものであり、
前記仕切板の重ね合わせ枚数を変えることにより、前記組み合わされる一対の環状枠体の前記ベース枠の間隔が変更可能にされていることを特徴とする、請求項１または２に記載の戸用の取手装置。
【請求項４】
前記取手装置は、前記組み合わせ方向と反対側である環状枠体の外側に嵌合される化粧枠をさらに含むことを特徴とする、請求項１〜３のいずれか一項に記載の戸用の取手装置。
【考案の詳細な説明】
【技術分野】
【０００１】
この考案は、住宅部材である戸に装着される戸用の取手装置に関する。
【背景技術】
【０００２】
戸用の取手装置の先行技術としては、特許文献１に開示された「引手」、特許文献２に開示された「引き戸用透光窓兼用把手」、特許文献３に開示された「引戸の取手」等が存在する。
特許文献１に開示された「引手」は、一対の開口枠材と、一対の開口枠材で保持され、開口部を閉鎖する透光性板部材と、透光性板部材に備えられ、透光性板部材の面方向と直交方向に周縁部から突出する４つの係止片部とを有する構成である。特許文献１に記載の「引手」は、引手が取り付けられる建具の厚みに対応して、寸法設計されたものが前提とされているため、想定外の厚みを備えた建具に取り付けることができなかった背景に鑑み、任意の厚さに対して対応可能な引手を提供するものである。
【０００３】
特許文献２に開示の「引き戸用透光窓兼用把手」は、一対の把手体の中央部に透光板を有するものであり、トイレ等の無人の小部屋内で灯火が無駄に点灯していることを視認できるようにした把手を提案するものである。
特許文献３に開示された「取手」は、手指の掛かりを良くする指止め部を、別部品を用いずに設けるというもので、開口縁部を内向きに傾斜させて、手指の掛かりを良くするための指止め部を形成した引き戸の取手を提案している。
【先行技術文献】
【特許文献】
【０００４】
【特許文献１】特開２０１４−３１６８３号公報
【特許文献２】特開２０１３−２９００７号公報
【特許文献３】特開平１０−１１５１２９号公報
【考案の概要】
【考案が解決しようとする課題】
【０００５】
特許文献１および特許文献２に記載の引手（把手）では、引手（把手）に備えられた透光性板材を介して、その内部の明るさを視認することができ、灯火が点いているとか、人がいるいないとかを確認することができる。また、特許文献３に開示された取手は、引戸の取手としては指の掛かりが良く、好ましいものである。
しかしながら、従来のいずれの技術においても、一般住宅において、引き戸および開き戸のいずれの形式の戸に対しても取り付けることができる取手にはなっていない。
【０００６】
また、引き戸の開閉や開き戸の開閉という、いずれの形式の戸に対しても操作性が良く、しかも取手を通して戸の内部の明るさを確認できる戸用の取手装置は提案されていない。
この考案は、上記の背景技術に鑑みてなされたもので、引き戸、開き戸および中折れ戸等のいずれの形式の戸に対しても好適に装着可能で、操作性が良く、しかも取手を通して戸内部の明るさを確認できる戸用の取手装置を提供することを主たる目的とする。
【０００７】
また、この考案は、引き戸、開き戸および中折れ戸のいずれに対しても装着できる取手装置で、戸の厚みとほぼ同じ厚みのフラットな取手装置を提供することを他の目的とする。
【課題を解決するための手段】
【０００８】
この考案は、上記目的を達成するために、請求項記載の構成を具備するものである。すなわち、請求項１に係る考案は、互いに組み合わされる一対の環状枠体と、前記一対の環状枠体間に配置される透光性を有する仕切板とを含み、前記環状枠体は、それぞれ、環状のベース枠と、前記ベース枠から組み合わせ方向に突出し、その内側面において指掛部を備えている半環状突出壁とを有し、前記一対の環状枠体が組み合わされると、前記半環状突出壁の先端縁同士が当接して、前記環状枠体同士は平行な状態となって戸に形成された取付用小窓内に収容可能であり、前記仕切板は、前記半環状突出壁の先端縁間に挟持され、前記ベース枠の拡がり方向に対して傾斜状態で保持されることを特徴とする、戸用の取手装置である。
【０００９】
請求項２に係る考案は、前記環状枠体は、長方形状の環状枠体を含み、前記半環状突出壁は、前記長方形状の一方長辺から突出する主突出壁と、２つの短辺から突出し、前記一方長辺側の突出量が大きく、他方長辺側の突出量が小さい斜めに突出する副突出壁とを含み、前記指掛部は、前記主突出壁の内側面を利用して形成されていることを特徴とする、請求項１記載の戸用の取手装置である。
【００１０】
請求項３に係る考案は、前記仕切板は、同一形状の仕切板を複数枚含み、複数枚の仕切板が重ね合わされて前記半環状突出壁の先端縁間に挟持されるものであり、前記仕切板の重ね合わせ枚数を変えることにより、前記組み合わされる一対の環状枠体の前記ベース枠の間隔が変更可能にされていることを特徴とする、請求項１または２に記載の戸用の取手装置である。
【００１１】
請求項４に係る考案は、前記取手装置は、前記組み合わせ方向と反対側である環状枠体の外側に嵌合される化粧枠をさらに含むことを特徴とする、請求項１〜３のいずれか一項に記載の戸用の取手装置である。
【考案の効果】
【００１２】
この考案の取手装置は、互いに組み合わされる一対の環状枠体と、環状枠体間に配置される透光性を有する仕切板とを含んでいる。従って、環状枠体間に配置された透光性を有する仕切板を介して、取手装置が取り付けられた戸の内側や外側の明るさを確認することができる。
また、一対の環状枠体は、それぞれ、環状のベース枠と、このベース枠から組み合わせ方向に突出する突出壁とを備えている。突出壁は半環状突出壁のため、一対の環状枠体が組み合わされたときに、環状枠体の組み合わせた時の厚みを薄くすることができる。換言すれば、組み合わせた環状枠体の厚みを、ほぼ半環状突出壁の厚みとすることができる。このため、この取手装置が取り付けられる戸の厚みが、一般住宅のいわゆる規格寸法の厚みの種々の引き戸や開き戸等である場合に、これらの種々の戸に対して、埋め込むように、すなわち戸から取手装置が突出せず、戸の表面と面一のフラットな状態で、この考案の取手装置を組み込むことができる。そして、組み込まれた取手装置は戸の表面から突出しないいわゆるフラット形式の取手装置とすることができる。
【００１３】
さらに、半環状突出壁を用いて形成される指掛部は、取手装置の少なくとも片側においては指掛部の深さが戸の開閉操作に必要十分な深さとなるので、引き戸であれ、開き戸であれ、中折れ戸であれ、この取手装置を取り付けた戸は、その開閉操作がし易くなる。
さらに、環状枠体における指掛部の位置は、取手装置を取り付ける向きを変えることにより変化させることができる。従って、引き戸、開き戸等の戸の形式に応じ、戸の開閉操作をし易い向きに取手装置を取り付けることができる。
【図面の簡単な説明】
【００１４】
【図１】図１は、この考案の一実施形態に係る取手装置の分解斜視図である。
【図２】図２は、この考案の一実施形態に係る取手装置を戸に適用した状態の縦断面構成を示す図である。
【図３】図３は、この考案の一実施形態に係る取手装置を戸に適用した状態の横断面構成を示す図である。
【図４】図４は、引き戸にこの考案の一実施形態に係る取手装置を適用した状態の図解図である。
【図５】図５は、開き戸にこの考案の一実施形態に係る取手装置を適用した状態の図解図である。
【図６】図６は、中折れ戸にこの考案の一実施形態に係る取手装置を適用した状態の図解図である。
【図７】図７は、この考案の他の実施形態に係る取手装置の構成例を示す図であり、（Ａ）は正面図、（Ｂ）は断面構造図（正面図におけるVIIＢ−VIIＢに沿う断面図）である。
【考案を実施するための形態】
【００１５】
以下には、図面を参照して、この考案の実施形態について具体的に説明をする。
図１は、この考案の一実施形態に係る戸用の取手装置１０の分解斜視図である。また、図２は、図１に示す取手装置１０を戸３０に適用した状態の縦断面図であり、図３は取手装置１０を戸３０に適用した状態の横断面図である。
図１〜図３を参照して説明すると、この考案の一実施形態に係る取手装置１０は、環状枠体１１および環状枠体１２を含み、これら環状枠体１１，１２は、互いに組み合わされるように、対をなす形態をしている。また、一対の環状枠体１１，１２間に配置される仕切板１３を有している。この実施形態では、仕切板１３は、仕切板１３Ａおよび仕切板１３Ｂの２枚の仕切板が用いられている。仕切板１３Ａ，１３Ｂは、たとえばアクリル樹脂板等で構成された透光性を有する板材である。この実施形態では、仕切板１３Ａ，１３Ｂの２枚を重ねて用いる形態を示すが、仕切板１３は、１枚だけ使用する構成でもよいし、３枚以上を重ねて使用する構成とすることもできる。あるいは、厚みの異なる仕切板を１枚だけ使用する構成とすることも可能である。
【００１６】
取手装置１０は、さらに、環状枠体１１の外側（組み合わせ方向と反対側）に嵌合される化粧枠１４、および環状枠体１２の外側（組み合わせ方向と反対側）に嵌合される化粧枠１５を備えている。
環状枠体１１および環状枠体１２は、組み合わせ面（仕切板１２が配置される面）に対して対称な形状をしている。
【００１７】
すなわち、環状枠体１１は、環状のベース枠１６と、ベース枠１６から組み合わせ方向に突出する半環状突出壁１７とを有している。
ベース枠１６は、縦長長方形状の環状枠体として構成されており、その側周面１６１は、装着される戸３０に形成された取付用小窓３１内に隙間なく挿入され得る形状をしている。また、ベース枠１６の縦方向上下に位置する内側端面１６２，１６３は、取付用小窓３１内の固定突片３２に当接し得る面とされており、内側端面１６２，１６３の両端には、ボルト２２が通る小孔１６４が形成されている。
【００１８】
半環状突出壁１７は、長方形状の一方長辺（図１においては右長辺１６５）から突出する主突出壁１７１と、上下２つの短辺側から突出する副突出壁１７２，１７３とを含んでいる。副突出壁１７２，１７３は、主突出壁１７１側の突出量が大きく、主突出壁１７１と同じ突出高さで連なっていて、反対側の他方長辺側（図１において左長辺）側の突出量が小さくなっている。このため、副突出壁１７２，１７３は、図１において、右から左に向けてその突出高さが次第に低くなった傾斜突出壁となっている。
【００１９】
さらに、図１において、ベース枠１６の左長辺に沿って突出量の低い補助突出壁１７４が形成されている。補助突出壁１７４は副突出壁１７２，１７３の最も突出高さが低い左端と等しい突出高さを有し、副突出壁１７２，１７３と連なっている。
なお、この考案に係る環状枠体１１の他の形態としては、副突出壁１７２，１７３が、それぞれ、左端でその突出高さがなくなり、ベース枠１６の左長辺に沿って形成される補助突出壁をなくした形態とすることもできる。
【００２０】
対を成す環状枠体１２は、環状枠体１１と基本的に同じ構成であり、環状のベース枠１６と、ベース枠１６から組み合わせ方向に突出する半環状突出壁１７とを有している。異なる点は、組み合わされる面に対して環状枠体１１と対称な形状、すなわち半環状突出壁１７が、左長辺側が高く、右長辺側が低い半環状突出壁１７となっていることである。なお、環状枠体１２において、環状枠体１１と同一の構成要素、対応する構成要素には同一の参照符号を付している。
【００２１】
環状枠体１１，１２は、上記の構成であるため、それらが組み合わせ方向に組み合わされると、先端縁が斜めになった突出壁１７２，１７３の先端縁同士、および主突出壁１７１と補助突出壁１７４の先端縁同士が当接するように組み合わされ、環状枠体１１と環状枠体１２との組み合わせ間隔は、主突出壁１７１の高さと補助突出壁１７４の高さが組み合わされた間隔に保たれ、一対の環状枠体１１，１２を平行に組み合わせることができる。
【００２２】
このため、環状枠体１１，１２の組み合わせ寸法、換言すれば環状枠体１１，１２を組み合わせた際の環状枠体１１，１２の外面から外面までの間隔（厚み）を、規格寸法に設計された住宅用の戸の厚みと一致するように設計しておけば、この考案の取手装置１０を戸３０の取付用小窓３１内に嵌め込むことができ、取手装置１０が嵌め込んだ戸３０の表面から膨出せず、フラットな構成を実現できる。
【００２３】
突出壁１７の先端縁には、仕切板１３を係止するための係止凹部１７５が形成されていてもよい。係止凹部１７５は、挟み込む仕切板１３がずれたりするのを防止するためのものである。突出壁１７の先端縁同士で仕切板１３をしっかりと挟持できる場合には、係止凹部１７５は略した構成とすることもできる。
この実施形態では、仕切板１３は、縦長長方形状をなし、その右側と左側の領域に対して、左右方向中央部の領域の傾斜角度が大きくなった斜めに緩く折れ曲がった３つの縦長板状傾斜部材が横につながった形状をしている。そして左側と右側の各領域が突出壁１７の先端縁に形成された係止凹部１７５で係止される構成となっている。
【００２４】
なお、仕切板１３は、かかる形状に限らず、平板形状でもよい。要は、突出壁１７（の副突出壁１７２，１７３）が、その先端縁が斜めになっており、この斜めの先端縁同士の間で仕切板１３が挟持され、環状枠体１１，１２に対して仕切板１３が斜め方向に配置される構成であればよい。
また、仕切板１３を１枚だけ用いる場合と、２枚重ねて用いる場合とでは、環状枠体１１，１２を組み合わせた厚みが変る。よって、規格寸法に設計された住宅用の戸の厚みが２種類決められている場合等に、各種類の戸の厚みに対して、仕切板１３の使用枚数で調整を図ることができる。
【００２５】
突出壁１７の主突出壁１７１の内側面においては、指掛部１８が形成されている。すなわち、環状枠体１１では、図１において、その右長辺１６５に沿って指掛部１８が形成された形態となっている。また、環状枠体１２においては、その左長辺に沿って指掛部１８が形成された形態となっている。
なお、指掛部１８が形成されていない反対側長辺に沿った部分では、補助突出壁１７４の高さ分だけ仕切板１３までの凹みがあり、ここに軽く指を掛けて、取手装置１０を用いた戸の開閉が可能である。
【００２６】
環状枠体１１および環状枠体１２と、それら環状枠体１１，１２で挟持された仕切板１３とは、組み合わされた状態において、環状枠体１１，１２のベース枠１６の四隅がボルト２２およびナット２３とによって締めつけられ、組み合わせ状態が維持される。また、その際に、組み合わせた取手装置１０を、戸３０の取付用小窓３１内に固定することができる（図２を参照）。
【００２７】
さらに、環状枠体１１，１２の外側（組み合わせ側と反対側）には、必要に応じて嵌合凹部１６６が形成されている。そしてこの嵌合凹部１６６に対して化粧枠１４，１５を嵌め合わせることができる。
戸３０の取付用小窓３１に対する取り付けにおいては、一例として、ボルト２２およびナット２３で、取手装置１０が取付用小窓３１内に埋め込まれた状態で取り付けられる。そして、戸３０の両側から、環状枠体１１，１２に対して化粧枠１４，１５が嵌められる。
【００２８】
かかる構成であるから、戸３０に装着された取手装置１０は、戸３０の表面とほぼ面一（化粧枠１４，１５のみが戸３０の表面から膨らむ）に組み込まれ、見栄えの良い取手装置とすることができる。
また、取手装置１０は、戸３０に対する取り付け方向を変えることにより、戸３０の開閉操作がし易い位置に指掛部１８を配置することができる。
【００２９】
それゆえ、図４に示す引き戸３０１の場合は、戸３０１を開ける方向側に指掛部１８を配置するよう取手装置１０を組み付ければ、戸の開け閉めが容易に行える取手装置１０を提供できる。
また、図５に示す開き戸３０２に取手装置１０を組み込む場合は、戸３０２を開く側（戸３０２のヒンジ部３０３と逆側の端縁側）に指掛部１８が位置するように組み込めば、開き戸３０２を開き易い取手装置１０となる。
【００３０】
さらに、中折れ戸３０４の場合、図６に示すように、中折れ戸３０４を操作し易い側に指掛部１８が位置するように、取手装置１０を中折れ戸３０４に装着すればよい。
図７は、この考案の他の実施形態に係る取手装置の構成例を示す図であり、（Ａ）は正面図、（Ｂ）は断面構造図（正面図におけるVIIＢ−VIIＢに沿う断面図）である。
図７に示すように、取手装置４０は、縦長長方方形ではなく、正面図が円形とすることもできる。そして正面視円形とした場合は、円形の左半分または右半分を利用した指掛部１８を形成することができる。
【００３１】
なお、図７において、先の実施形態に対応する構成要素には対応する符号を付し、重複説明は省略する。
この考案は、以上説明した実施形態に限定されるものではなく、請求項記載の構成の範囲内において種々の変更が可能である。
【符号の説明】
【００３２】
１０、４０    取手装置
１１、１２    環状枠体
１３、１３Ａ、１３Ｂ    仕切板
１４、１５    化粧枠
１６    ベース枠
１６１    側周面
１６２、１６３    内側端面
１６４    小孔
１６５    右長辺
１６６    嵌合凹部
１７    半環状突出壁
１７１    主突出壁
１７２、１７３    副突出壁
１７４    補助突出壁
１７５    係止凹部
１８    指掛部
１９、２０    副突出壁
２１    補助突出壁
２２    ボルト
２３    ナット
３０、３０１、３０２、３０４    戸
３０３    ヒンジ部
３１    取付用小窓
３２    固定突片
【図１】
0003204470.tif 000003
【図２】
0003204470.tif 000004
【図３】
0003204470.tif 000005
【図４】
0003204470.tif 000006
【図５】
0003204470.tif 000007
【図６】
0003204470.tif 000008
【図７】
0003204470.tif 000009